(57)【要約】【課題】第１に、カーテンレールを利用した室内用物干し具で取付け取外しが容易で安定している。第２に、カーテンレールに取付ける小型の室内干しであっても単身者の二日分程度の洗濯物が干せる機能がある。第３に、他の物干し具と組み合せ使用ができる。第４に、室内物干しの具の収納が簡単で必要時に即座に取出せる。【解決手段】第１に、物干し具の定着部幅（１-ａ１）を広くしズレ止め（１-ａ２）を設け、定着版に変形防止リブ（１-ａ３）を付けた事で解決できる。第２に、物干し具本体腹部側面にウイングバー（２）を収納している事で、必要に応じウイングバーを開き干せる範囲を広げる事で解決できる。第３に、本体下側に２ヶ所の重たい物用の円形フック（１-ｂ２，３-ｂ）と本体上側の物干し竿受け（１-ｂ３）を設ける事で解決できる。第４に、本体上側の物干し竿受け（１-ｂ３）は収納ようのフックを兼ねたもので、カーテンレール端部の内外カーテン間に架けて収納しておけば、必要時に即座に使用できる。【選択図】図１
2006223698.tif 000002
【特許請求の範囲】
【請求項１】
カーテンレールに取付け使用する、室内用物干し具。図１参照
【請求項２】
カーテンレール取付けは、２本レールの間に差し込み内側レール側に回転固定する、部屋内側レールに下向きの力、外側レールに浮上り（内側レールを支点として上向きのモーメント力）の相反する力を利用する事で固定ネジ等を必要としない、取付け取外しが容易にできる、請求項１の室内用物干し具。
【請求項３】
レールへの作用力を分散する為に定着部を幅広く、内側レール固定部形状をカーテンレール断面に合せた形状で挟み込んだズレ止形状とし、外側レール接着面下側に変形防止リブを設けた事を特徴とする、請求項１の室内用物干し具。図１参照
【請求項４】
カーテンレール取付け形状を請求項３の形状とする事で、変心荷重を受けても物干し具のズレ、外れが少なく開閉できる二段回転版付きウイングバーの取付けが可能となり、ウイングバーに吊り下げ干せる構造からなる、請求項１の室内用物干し具。
【発明の詳細な説明】
【技術分野】
【０００１】
本発明は、カーテンレールを利用した室内用物干しに関するものである。
【背景技術】
【０００２】
一般的な洗濯物干しは、室外での利用を目的に考案されたものが多い。室内外に使用できる洗濯物干しでは一般的に吊り下げ形式となっている（特許文献２、特許文献３）。室内専用の簡易的物干しには床置き式が多くカーテンレールを利用した物干しはまだ少なく数々改良ヶ所が考えられる（特許文献１、特許文献４）。吊り下げ式の欠点は、吊り下げバランスを取るために物干し中央に懸架位置があり、壁面やカーテンレールに架けた場合物干し具を斜めに架ける事となり、壁や窓に洗濯物が傾き寄り添うことでカーテンや壁面をしめらせる。特に冬場のガラス窓に付いた水滴をカーテンが吸い込み、汚れカビの発生を起す原因となる。床置き式はホテルや旅館のタオル掛けに多く使われているが、一般家庭の洗濯物干しには床を専用する事からあまり好まれない。
【０００３】
【特許文献１】特開平８−２９９６９４号公報
【特許文献２】特開２００１−１７０３９５号公報
【特許文献３】特開２００２−５２２９５号公報
【特許文献４】特開２００３−１１７２９４号公報
【発明の開示】
【発明が解決しようとする課題】
【０００４】
カーテンレールを利用することで必要な事は、取付け取外しが容易に行へ物干しを使用しない場合に室内の美観を損なわないように取付け部品等をカーテンレールや壁面に残さない。
【０００５】
従来のカーテンレールを利用した物干し具は、カーテンレール部材が細い事から物干し具の部材も細い物が多い。カーテンレール方向に変心した荷重に対応するために、壁面のネジ止固定や物干し具を二組組み合わせて安定するように考案されているものはあったが、満足できる物ではない。
【０００６】
又、安定性に劣る事で物干し具の単体使用では、洗濯物を干せる量が少なく、別の物干し具と組み合わせての使用となっている。
【０００７】
それから、物干し具の取付け取外しを行うことで、収納場所から簡単に取出し使用、収納をカーテンの近くで出来ると非常に便利である。
【０００８】
本発明の第１の課題は、カーテンレールと物干し具の取付け取外しが容易で、洗濯物の変心荷重が作用してもカーテンレールとのズレや外れが少ない構造とし、物干し具不使用時に取外した後にカーテンレールや壁面に取付け用の部材を残さない。
【０００９】
本発明の第２の課題は、物干し具単体で単身者の二日分程度のシャツ・下着・タオル等を干せる物干し具。
【００１０】
本発明の第３の課題は、従来の物干し具と同じような別の干し物具との組合せ利用ができ収納・取出し使用が容易な事。
【課題を解決するための手段】
【００１１】
上記第１の課題を解決するため請求項１記載の物干し具のカーテンレール取付けは図２のように２本のカーテンレールの間に物干し具レール定着部端（１-ａ１）を上から差込手前に回転させセット完了となる。取外しは、取付けと順序を逆行することで簡単に取外せる。
【００１２】
それから、物干し具のズレや外れを防ぐ為に、物干し具カーテンレール定着部幅を図３、図６で示すようにアーム部幅より広くし、内側カーテンレールと同じ形状をしたストッパー（１-ａ２）で挟み込む、外側カーテンレールの定着板下側に板の変形をなくす為のリブ（１-ａ３）を設ける。
【００１３】
上記第２の課題を解決するため請求項１記載の物干し具は、物干しアーム腹部の両サイドに二段回転版付きウイングバー（２）を設ける。（図１、図３参照）使用時に両サイドに広げたウイングバー（２-Ｒ，２-Ｌ）に７枚のシャツ又はタオルの洗濯物を架けることができるようになる。
【００１４】
上記第３の課題を解決するため請求項１記載の物干し具には、アーム底面下の中間部と先端部二ヶ所（１-ｂ２，３-ｂ）に、重い干し物用の円形穴を設けた。穴には洗濯バサミの取付けと針金ハンガーのフックが同時の入る大きい径となっているので、用途に合せ使い分けできる。（図２参照）
【００１５】
それから、ウイングバーが干し物の重さで、勝手に開閉しないようにウイングバー固定装置を取付け（３）固定装置軸下側に軸を利用した、重い干し物用フック（３-ｂ）を設けた。
【００１６】
又、アーム上面上に収納用フック兼物干し竿受け（１-ｂ３）を設けた事で、請求項１記載の物干し具を二台離して設置し、その間に物干し竿を渡せばさらに洗濯物を干す巾が広くなる。（図１、図２参照）
【発明の効果】
【００１７】
上述したようにカーテンレールに手軽に取付けられ洗濯物の量により物干し具の使用形体が変えられる事で、必要に応じ室内使用空間を最小限に抑えた洗濯物干し範囲が設定できる。
【００１８】
特にこの頃、夜間ベランダに干した女性の下着が盗まれる事件の報道をよく耳にする。室内での干しが敬遠されるのは、一般的に洗濯物は雨の日以外はベランダで干したほうが乾きやすい。その他に、物干し具の構造上の問題で壁や窓に洗濯物が接着し洗濯物の水分による染み汚れに加え、洗濯物の圧迫感や匂い等で仕方なく夜間ベランダに干している事から起こる事件と思われる。乾燥時間や匂いは、請求項１記載の干し物具では解決できないが、この頃の洗濯機には簡易乾燥付のものが主流で室内に干しでも短時間で乾く。又、匂いに付いても洗剤メーカのコマーシャル等から見ても部屋に干しでも匂わない洗剤が多くなっている事から、残る問題は請求項１記載の物干し具で解決できる事から、室内の下着を干せば下着泥棒も少なくなる。
【００１９】
又、部屋干しの再、友人等の来訪者に見られたくないような洗濯物等は、ウイングバーを広げバー取付けの洗濯鋏でタオル等を吊り下げタオルとカーテンとの間に、アーム底面の円形フックに別の吊り下げ用干し物具を下げ洗濯物干せば見えなくなるので来訪者が来る場合でも部屋で干せる。等干し方の応用で部屋に合った形体が考えられる。
【発明を実施するための最良の形態】
【００２０】
以下、本発明の実施の携帯を図１〜図７に基づいて説明する。
【００２１】
図の請求項１記載の物干し具は、１物干し本体、２ウイングバー（両サイド各１枚）、３ウイングバー固定レバーの３部材と洗濯鋏からなる。
【００２２】
１物干し本体は、カーテンレール定着端部から張り出したアームとアーム先端のウイングバー取付け端部までを一体とした構造で作用力をカーテンレールに伝達する機能を果たす。
【００２３】
２ウイングバーは、通常は１の干し物本体の腹部両側に収納され必要に応じ両サイドに広がり洗濯物を吊下げる機能を果たす。
【００２４】
３ウイングバー固定レバーは、開いたウイングバーを希望する角度の位置で固定するための機能を果たす。
【図面の簡単な説明】
【００２５】
【図１】本発明の使用状況図
【図２】カーテンレール取付け方の側面図
【図３】カーテンレール取付け及びウイングバー収納と開いた状態平面図
【図４】請求項１記載の物干し具のカーテンレール端部での収納状態
【図５】重量洗濯物の干し方参考図
【図６】１物干し本体詳細図
【図７】２ウイングバー詳細図
【図８】３ウイングバー固定レバー
【符号の説明】
【００２６】
１  物干し本体
１-ａ１  定着部
１-ａ２  定着部ストッパー
１-ａ３  定着部リブ
１-ｂ１  物干しアーム
１-ｂ２  重い干し物用フック
１-ｂ３  収納用フック兼物干し竿受け
２  ウイングバー
２-Ｒ    右ウイングバー
２-Ｌ    左ウイングバー
３  ウイングバー固定装置
３-ａ    ウイングバー固定レバー
３-ｂ    重い干し物用フック
【図１】
2006223698.tif 000003
【図２】
2006223698.tif 000004
【図３】
2006223698.tif 000005
【図４】
2006223698.tif 000006
【図５】
2006223698.tif 000007
【図６】
2006223698.tif 000008
【図７】
2006223698.tif 000009
【図８】
2006223698.tif 000010